(57)【要約】【課題】位相差検出方式による焦点検出を行うための構成において生じる画質の劣化を極力抑制することが可能な撮像装置を提供する。【解決手段】本発明の撮像装置は、撮影用の画素群と、焦点検出用の画素群と、をそれぞれ具備する撮像素子と、焦点検出用の画素群において撮像素子の撮像面に結像される被写体像の一部を遮断する遮光部材を備え、撮像面と遮光部材との相対的な位置を変位可能に構成された遮光機構と、焦点検出用の画素群を構成する各画素から出力される画素信号に基づき、被写体像の合焦状態を得るための演算を行う焦点検出部と、を有する。【選択図】図１
2012058532.tif 000002
【特許請求の範囲】
【請求項１】
撮影用の画素群と、焦点検出用の画素群と、をそれぞれ具備する撮像素子と、
前記焦点検出用の画素群において前記撮像素子の撮像面に結像される被写体像の一部を遮断する遮光部材を備え、前記撮像面と前記遮光部材との相対的な位置を変位可能に構成された遮光機構と、
前記焦点検出用の画素群を構成する各画素から出力される画素信号に基づき、前記被写体像の合焦状態を得るための演算を行う焦点検出部と、
を有することを特徴とする撮像装置。
【請求項２】
前記遮光機構は、
前記焦点検出用の画素群を構成する各画素の受光部に対向して配置された板状の光学素子の表面に一定間隔で設けられた複数の透明電極と、
前記光学素子を経て入射される光束を遮断するとともに、前記複数の透明電極に対向する領域に永久電荷を付加した帯電領域を具備して形成された板状の前記遮光部材と、を有して構成され、
前記複数の透明電極に対して順次電圧が印加されることにより、前記撮像面に沿って設けられた前記受光部に対する前記遮光部材の位置が変位することを特徴とする請求項１に記載の撮像装置。
【請求項３】
前記帯電領域に付加されたものと反対の極性の永久電荷が付加された帯電部材が、前記光学素子の表面における前記複数の透明電極が配置された領域の近傍に配置されていることを特徴とする請求項２に記載の撮像装置。
【請求項４】
前記遮光部材は、前記光学素子を経て入射される光束を透過させる光透過部と、前記光学素子を経て入射される光束を遮断する光遮断部と、を円周方向に沿って配置した円板形状として形成されることを特徴とする請求項２または３に記載の撮像装置。
【請求項５】
前記撮像素子の露光時間に応じて前記遮光部材を断続的に変位させながら撮像を行わせることにより、前記撮像面に結像された前記被写体像に基づく複数の画像データを生成させる制御部と、
前記複数の画像データを合成することによりＲＡＷ画像データを生成する画像合成部と、
をさらに有することを特徴とする請求項１乃至４のいずれか一項に記載の撮像装置。
【請求項６】
前記画像合成部は、前記複数の画像データを加算合成することにより前記ＲＡＷ画像データを生成することを特徴とする請求項５に記載の撮像装置。
【請求項７】
前記撮像素子の露光時間に応じて前記遮光部材を連続的に変位させながら撮像を行わせることにより、前記撮像面に結像された前記被写体像に基づくＲＡＷ画像データを生成させる制御部をさらに有することを特徴とする請求項１乃至４のいずれか一項に記載の撮像装置。
【請求項８】
前記焦点検出用の画素群を構成する各画素毎に予め算出された補正値を、前記ＲＡＷ画像データにおいて対応する画素の輝度値にそれぞれ乗ずる処理を行う輝度値補正部をさらに有することを特徴とする請求項請求項５乃至７のいずれか一項に記載の撮像装置。
【請求項９】
前記補正値は、前記焦点検出用の画素群を構成する一の画素の輝度値と、前記一の画素の近傍に配置された複数の撮影用の画素における輝度値の平均値と、に基づいて算出される値であることを特徴とする請求項８に記載の撮像装置。
【請求項１０】
前記遮光部材は、前記光学素子を経て入射される光束の一部の帯域を透過させるカラーフィルタと、前記光学素子を経て入射される光束を遮断する光遮断部と、を円周方向に沿って配置した円板形状として形成されることを特徴とする請求項２または３に記載の撮像装置。
【発明の詳細な説明】
【技術分野】
【０００１】
本発明は、撮像装置に関し、特に、焦点検出機能を有する撮像装置に関する。
【背景技術】
【０００２】
デジタルカメラ等の撮像装置においては、撮像素子から出力される画素信号に応じて焦点検出を行う技術が提案されている。
【０００３】
具体的には、結像光学系を通過した光束を受光して画素信号を出力する撮影用の画素群と、該結像光学系の異なる瞳領域（射出瞳）を通過した光束のみを受光して画素信号を出力する焦点検出用の複数の画素群と、をそれぞれ撮像素子の撮像面に設けた構成において、該焦点検出用の複数の画素群から出力される画素信号の位相差に応じて焦点検出を行う、位相差検出方式と呼称される焦点検出手法が提案されている。
【０００４】
そして、例えば特許文献１及び特許文献２には、前述の位相差検出方式による焦点検出を行う際に適用可能な構成がそれぞれ開示されている。
【発明の概要】
【発明が解決しようとする課題】
【０００５】
ところで、前述の位相差検出方式によれば、所定の焦点検出用の画素において所定の瞳領域（射出瞳）を通過した光束のみを受光できるようにするために、入射される光束を制限する遮光部材が焦点検出用の各画素毎に配置されている。そして、焦点検出用の各画素からの画素信号は、前述の遮光部材により遮光された部分の情報が欠落した状態で出力される。そのため、前述の位相差検出方式によれば、画像の生成の際に焦点検出用の各画素から出力される画素信号を用いることができず、結果的に、焦点検出用の画素の画素数及び（または）配置位置等に応じて画質が劣化してしまうという課題が生じている。
【０００６】
また、前述の位相差検出方式によれば、焦点検出用の画素の近傍に配置された撮影用の画素から出力される画素信号を用い、当該焦点検出用の画素が配置された箇所の情報を補間する補間処理を行って画像を生成している。そのため、前述の位相差検出方式によれば、各焦点検出用の画素毎に前述の補間処理を行う必要が生じ、結果的に、焦点検出用の画素の画素数及び（または）配置位置等に応じて画質が劣化してしまうという課題が生じている。
【０００７】
本発明は、前述した事情に鑑みてなされたものであり、位相差検出方式による焦点検出を行うための構成において生じる画質の劣化を極力抑制することが可能な撮像装置を提供することを目的としている。
【課題を解決するための手段】
【０００８】
本発明の撮像装置は、撮影用の画素群と、焦点検出用の画素群と、をそれぞれ具備する撮像素子と、焦点検出用の画素群において撮像素子の撮像面に結像される被写体像の一部を遮断する遮光部材を備え、撮像面と遮光部材との相対的な位置を変位可能に構成された遮光機構と、焦点検出用の画素群を構成する各画素から出力される画素信号に基づき、被写体像の合焦状態を得るための演算を行う焦点検出部と、を有する。
【発明の効果】
【０００９】
本発明における撮像装置によれば、位相差検出方式による焦点検出を行うための構成において生じる画質の劣化を極力抑制することができる。
【図面の簡単な説明】
【００１０】
【図１】本発明の実施例に係る撮像装置の要部の構成を示すブロック図。
【図２】焦点検出用の画素の具体的な構成の一例を示す図。
【図３】焦点検出用の画素に設けられた透明部材の光入射面側から見た場合における透明電極と帯電部材との配置状態の一例を示す図。
【図４】図３に示す配置状態の透明電極及び帯電部材に応じて設けられた、遮光部材の帯電領域の一例を示す図。
【図５】遮光制御部の具体的な構成の一例を示す図。
【図６】図５の遮光制御部における各部から出力される信号形態を示す図。
【図７】図３に示すように配置された透明電極に対する電圧の印加状態を説明するための図。
【図８】図７の時刻Ｔ０及びＴ７のタイミングにおける遮光部材の位置を模式的に示す図。
【図９】図７の時刻Ｔ２及びＴ５のタイミングにおける遮光部材の位置を模式的に示す図。
【図１０】図７の時刻Ｔ３のタイミングにおける遮光部材の位置を模式的に示す図。
【図１１】焦点検出用の画素に設けられた透明部材の光入射面側から見た場合における透明電極と帯電部材との配置状態の、図３とは異なる例を示す図。
【図１２】図１１に示す配置状態の透明電極及び帯電部材に応じて設けられた、遮光部材の帯電領域の一例を示す図。
【図１３】図１１に示すように配置された透明電極に対する電圧の印加状態を説明するための図。
【図１４】図１３の時刻Ｔ１０及びＴ２５のタイミングにおける遮光部材の位置を模式的に示す図。
【図１５】図１３の時刻Ｔ１１のタイミングにおける遮光部材の位置を模式的に示す図。
【図１６】図１３の時刻Ｔ１３のタイミングにおける遮光部材の位置を模式的に示す図。
【図１７】図１３の時刻Ｔ１５のタイミングにおける遮光部材の位置を模式的に示す図。
【図１８】図１３の時刻Ｔ１７のタイミングにおける遮光部材の位置を模式的に示す図。
【図１９】図１３の時刻Ｔ１９のタイミングにおける遮光部材の位置を模式的に示す図。
【図２０】図１３の時刻Ｔ２１のタイミングにおける遮光部材の位置を模式的に示す図。
【図２１】図１３の時刻Ｔ２３のタイミングにおける遮光部材の位置を模式的に示す図。
【図２２】撮像素子の撮像面における焦点検出用の画素の配置の一例を示す図。
【図２３】本実施例に係る撮像装置の撮影時の動作の要部を説明するためのフローチャート。
【図２４】静止画撮影に係るシーケンスの一例を示すフローチャート。
【図２５】静止画撮影に係るシーケンスにおいて行われる輝度補正処理を説明するための図。
【図２６】静止画撮影に係るシーケンスの、図２４とは異なる例を示すフローチャート。
【図２７】動画撮影に係るシーケンスの一例を示すフローチャート。
【図２８】動画撮影に係るシーケンスにおいて行われる間引き処理を説明するための図。
【図２９】画像処理に係るシーケンスの一例を示すフローチャート。
【図３０】図１２の遮光部材の変形例を示す図。
【図３１】複数の焦点検出用の画素に対応する複数の光遮断部を備えた遮光部材の構成の一例を示す図。
【図３２】図３１の遮光部材の第１の配置状態を示す図。
【図３３】図３１の遮光部材の第２の配置状態を示す図。
【発明を実施するための形態】
【００１１】
以下、本発明の実施の形態について、図面を参照しつつ説明を行う。
【００１２】
図１は、本発明の実施例に係る撮像装置の要部の構成を示すブロック図である。
【００１３】
撮像装置１は、図１に示すように、カメラ本体２と、交換式レンズ３と、を有して構成されている。
【００１４】
交換式レンズ３は、レンズ３０１と、不揮発性メモリ３０２と、マイクロコンピュータ３０３と、ドライバ３０４と、絞り３０５と、を有している。また、交換式レンズ３は、Ｉ／Ｆ（インターフェース）３０６を介して、カメラ本体２と通信可能に接続されている。
【００１５】
一方、カメラ本体２は、メカシャッター２０１と、撮像素子２０２と、アナログ処理部２０３と、アナログ／デジタル変換部２０４（以下、Ａ／Ｄ変換部２０４）と、バス２０５と、ＳＤＲＡＭ２０６と、画像処理部２０７と、ＡＥ処理部２０８と、ＡＦ処理部２０９と、画像圧縮展開部２１０と、メモリインターフェース２１１（以下、メモリＩ／Ｆ２１１）と、記録媒体２１２と、ＬＣＤドライバ２１３と、ＬＣＤ２１４と、マイクロコンピュータ２１５と、操作部２１６と、不揮発性メモリ２１７と、遮光制御部２１８と、を有して構成されている。
【００１６】
レンズ３０１は、被写体の光学像を撮像素子２０２に集光させる。レンズ３０１は、単焦点レンズであってもよいし、ズームレンズであってもよい。
【００１７】
マイクロコンピュータ３０３は、Ｉ／Ｆ３０６、不揮発性メモリ３０２、及び、ドライバ３０４と接続されている。また、マイクロコンピュータ３０３は、不揮発性メモリ３０２に記憶されている情報の読み込み及び書き込みを行うとともに、ドライバ３０４の制御を行う。不揮発性メモリ３０２には、交換式レンズ３の焦点距離のデータ等の情報が記憶されている。
【００１８】
マイクロコンピュータ３０３は、Ｉ／Ｆ３０６を介してマイクロコンピュータ２１５と通信することができるように構成されている。このような構成により、マイクロコンピュータ３０３は、様々な情報をマイクロコンピュータ２１５へ送信するとともに、マイクロコンピュータ２１５から絞り値等の情報を受信する。
【００１９】
ドライバ３０４は、マイクロコンピュータ３０３の指示に基づき、レンズ３０１を駆動させて焦点距離やフォーカス位置の変更を行うとともに、絞り３０５を駆動する。絞り３０５は、レンズ３０１の近傍に設けられ、被写体の光量を調節する。
【００２０】
メカシャッター２０１は、マイクロコンピュータ２１５の指示に基づいて駆動し、撮像素子２０２に被写体を露光する時間を制御する。
【００２１】
撮像素子２０２は、被写体の撮影に用いられる撮影用の画素群と、焦点検出の際に用いられる焦点検出用の複数の画素群と、を撮像面に設けて構成されている。また、撮像素子２０２の撮像面に設けられた各画素を構成するフォトダイオードの前面には、ベイヤー配列のカラーフィルタが配置されている。なお、焦点検出用の画素の詳細な構成については、後程改めて説明を行う。また、撮像素子２０２の撮像面に設けられた焦点検出用の画素２０２１以外の各画素、すなわち、撮影用の画素については、公知のものをそのまま用いればよい。
【００２２】
また、撮像素子２０２は、レンズ３０１により集光された光を、画素を構成するフォトダイオードで受光して光電変換することにより、受光光量に応じた画素信号を各画素毎に生成してアナログ処理部２０３へ出力する。なお、撮像素子２０２は、ＣＭＯＳ方式のものであってもよく、または、ＣＣＤ方式のものであっても良い。
【００２３】
アナログ処理部２０３は、撮像素子２０２の各画素から読み出された画素信号に対し、リセットノイズ等の低減等の処理を施して出力する。Ａ／Ｄ変換部２０４は、アナログ処理部２０３から出力されたアナログの画素信号をデジタルの画素信号に変換する。
【００２４】
バス２０５は、カメラ本体２の内部で発生した各種データをカメラ本体２の各部に転送するための転送路として構成されている。バス２０５は、Ａ／Ｄ変換部２０４と、ＳＤＲＡＭ２０６と、画像処理部２０７と、ＡＥ処理部２０８と、ＡＦ処理部２０９と、画像圧縮展開部２１０と、メモリＩ／Ｆ２１１と、ＬＣＤドライバ２１３と、マイクロコンピュータ２１５と、遮光制御部２１８と、に接続されている。
【００２５】
Ａ／Ｄ変換部２０４から出力されたデジタルの画素信号に基づく画像データは、バス２０５を介して一旦ＳＤＲＡＭ２０６に記憶される。ＳＤＲＡＭ２０６には、Ａ／Ｄ変換部２０４から出力されたデジタルの画素信号に基づく画像データが一時的に記憶されるとともに、画像処理部２０７及び画像圧縮展開部２１０において処理された画像データ等の各種データが一時的に記憶される。
【００２６】
画像処理部２０７は、ＳＤＲＡＭ２０６から読み出した画像データに対して様々な画像処理を施す。具体的には、画像処理部２０７は、ＳＤＲＡＭ２０６から読み出した画像データに対し、オプティカルブラック減算、ホワイトバランス補正、同時化、カラーマトリクス演算、ガンマ変換、エッジ強調、及び、ノイズ低減等の処理を行う。そして、画像処理部２０７は、前述の各処理を施した後の画像データをＳＤＲＡＭ２０６に記憶させる。
【００２７】
ＡＥ処理部２０８は、画像データから被写体輝度を算出する。被写体輝度を算出するた
めのデータは、専用の測光センサの出力であってもよい。
【００２８】
ＡＦ処理部２０９は、撮像素子２０２を駆動するための図示しない撮像素子駆動回路等により制御される各画素信号の読み出しタイミングに基づき、Ａ／Ｄ変換部２０４から出力されたデジタルの画素信号の中から複数の焦点検出用の画素信号を抽出する。そして、ＡＦ処理部２０９は、前記複数の焦点検出用の画素信号を用いた相関演算を行うことにより相関値を取得し、当該取得した相関値に基づいて位相差を算出し、当該算出した位相差に基づいてデフォーカス量を算出する。そして、ＡＦ処理部２０９により算出されたデフォーカス量に応じてレンズ３０１を駆動させるための指示をマイクロコンピュータ３０３がドライバ３０４に対して行うことにより、撮像素子２０２に結像される被写体像の合焦状態を得ることができる。
【００２９】
すなわち、以上に述べたようなＡＦに係る動作が行われることにより、撮像装置１のＡＦ（自動焦点）機能が実現される。
【００３０】
画像圧縮展開部２１０は、静止画像データの記録時には、ＳＤＲＡＭ２０６から画像データを読み出し、当該読み出した画像データをＪＰＥＧ圧縮方式に従って圧縮し、当該圧縮したＪＰＥＧ画像データをＳＤＲＡＭ２０６に一旦記憶する。マイクロコンピュータ２１５は、ＪＰＥＧファイルを構成するために必要なＪＰＥＧヘッダをＳＤＲＡＭ２０６に記憶されたＪＰＥＧ画像データに対して付加することによりＪＰＥＧファイルを作成し、当該作成したＪＰＥＧファイルをメモリＩ／Ｆ２１１を介して記録媒体２１２に記録させる。
【００３１】
一方、画像圧縮展開部２１０は、動画データの記録時には、ＳＤＲＡＭ２０６から動画データを読み出し、当該読み出した動画データを所定のフォーマット（Ｍｏｔｉｏｎ ＪＰＥＧ、ＭＰＥＧ、または、ＡＶＣＨＤ（登録商標）等）に従って圧縮し、当該圧縮した動画データをＳＤＲＡＭ２０６に一旦記憶する。さらに、画像圧縮展開部２１０は、マイクロコンピュータ２１５からの指示に基づき、圧縮データを展開（伸長）する処理を行う。
【００３２】
記録媒体２１２は、例えばカメラ本体２に着脱可能なメモリカードからなる記録媒体で
あるが、これに限定されるものではない。
【００３３】
ＬＣＤドライバ２１３は、ＬＣＤ２１４を駆動させることにより、ＬＣＤ２１４の表示画面上に画像を表示させる。
【００３４】
ＬＣＤ２１４の表示画面上における画像の表示としては、撮影直後の画像データを短時間だけ表示するレックビュー表示、記録媒体２１２に記録されたＪＰＥＧファイルの再生表示、及び、ライブビュー表示等の動画の表示が含まれる。
【００３５】
例えば、記録媒体２１２に記録された圧縮データを再生する場合、画像圧縮展開部２１０は、記録媒体２１２に記録されている圧縮データを読み出して展開（伸長）処理を施した後、当該展開したデータを一旦ＳＤＲＡＭ２０６に記憶させる。そして、ＬＣＤドライバ２１３は、伸張されたデータをＳＤＲＡＭ２０６から読み出し、当該読み出したデータを映像信号へ変換した後でＬＣＤ２１４へ出力して表示を行う。
【００３６】
マイクロコンピュータ２１５は、カメラ本体２の各種シーケンスを統括的に制御する。また、マイクロコンピュータ２１５には、操作部２１６および不揮発性メモリ２１７が接続されている。
【００３７】
操作部２１６は、電源ボタン、レリーズボタン、動画ボタン、再生ボタン、及び、各種入力キー等の操作デバイスが設けられたユーザインターフェースとして構成されている。操作部２１６の操作デバイスのうちのいずれかがユーザにより操作されると、マイクロコンピュータ２１５は、当該操作に応じた各種シーケンスを実行する。
【００３８】
操作部２１６の電源ボタンは、撮像装置１の電源をオンまたはオフに切り替えるための指示をユーザの操作に応じて出力するように構成されている。
【００３９】
操作部２１６のレリーズボタンは、ファーストレリーズスイッチとセカンドレリーズスイッチとからなる２段スイッチを有して構成されている。レリーズボタンの半押しに応じてファーストレリーズスイッチがオンされると、マイクロコンピュータ２１５は、ＡＥ（自動露出）に係る動作及びＡＦに係る動作等の撮影準備シーケンスを実行する。また、レリーズボタンの全押しに応じてセカンドレリーズスイッチがオンされると、マイクロコンピュータ２１５は、撮影シーケンスを実行して撮影を行う。
【００４０】
操作部２１６の再生ボタンは、撮影により得られた静止画または動画をＬＣＤ２１４に表示させるための指示をユーザの操作に応じて出力するように構成されている。
【００４１】
操作部２１６の動画ボタンは、動画の撮影の開始及び終了に係る指示をユーザの操作に応じて出力するように構成されている。このような構成によれば、例えば、動画の撮影を行っていない状態において動画ボタンが押下されると、動画の撮影を開始させるための指示が出力される。また、前述の構成によれば、例えば、動画の撮影を行っている最中に動画ボタンが押下されると、動画の撮影を終了させるための指示が出力される。従って、前述の構成によれば、動画ボタンが押下される度に、動画の撮影開始と撮影終了とが交互に繰り返される。
【００４２】
不揮発性メモリ２１７には、画像処理部２０７により行われる種々の処理において用いられるパラメータ群、及び、撮像装置１を特定するための製造番号等のＩＤ情報が記憶されている。また、不揮発性メモリ２１７には、マイクロコンピュータ２１５により実行されるシーケンス等に関するプログラム等が記憶されている。マイクロコンピュータ２１５は、不揮発性メモリ２１７に記憶されているプログラム等を適宜読み込むことにより、当該読み込んだプログラム等に応じたシーケンスを実行する。
【００４３】
遮光制御部２１８は、マイクロコンピュータ２１５の制御に基づき、撮像素子２０２における焦点検出用の各画素にそれぞれ設けられた遮光部材を駆動させる。なお、遮光制御部２１８の具体的な構成及び動作については、後程述べるものとする。
【００４４】
図２は、焦点検出用の画素の具体的な構成の一例を示す図である。図３は、焦点検出用の画素に設けられた透明部材の光入射面側から見た場合における透明電極と帯電部材との配置状態の一例を示す図である。図４は、図３に示す配置状態の透明電極及び帯電部材に応じて設けられた、遮光部材の帯電領域の一例を示す図である。
【００４５】
撮像素子２０２に設けられた焦点検出用の画素２０２１は、図２及び図３に示すように、透明部材２０２２と、透明電極２０２３ａと、透明電極２０２３ｂと、帯電部材２０２３ｃと、遮光部材２０２４と、マイクロレンズ２０２５と、カラーフィルタ２０２６と、配線層２０２７と、フォトダイオード２０２８と、を有して構成されている。
【００４６】
透明部材２０２２は、板状のガラス等の光学素子により形成されており、フォトダイオード２０２８に対向して配置されているとともに、外部から入射される光束をマイクロレンズ２０２５側へ透過させる。また、透明部材２０２２の光出射面の表面には、図３に示すように、２つの透明電極２０２３ａと、２つの透明電極２０２３ｂと、２つの帯電部材２０２３ｃと、が設けられている。
【００４７】
一方、遮光部材２０２４は、図４に示すように、長辺方向が透明電極２０２３ａ及び２０２３ｂの長辺方向と一致する矩形の板状部材として形成されており、透明部材２０２２を透過した光束のうちの略半分を遮断可能な位置に配置されている。
【００４８】
また、図２及び図４に示すように、遮光部材２０２４における、透明電極２０２３ａ及び２０２３ｂに対向する面の長辺方向には、永久電荷を保持可能な材料により形成された帯電領域２０２４ａ及び２０２４ｂが設けられている。なお、永久電荷を保持可能な材料としては、例えば、ポリテトラフルオロエチレン（ＰＴＦＥ）、フッ化エチレンプロピレン（ＦＥＰ）、ポリビニリデンフルオライド（ＰＶＤＦ）、二酸化ケイ素（ＳｉＯ2）、及び、フッ化物重合体等が挙げられる。
【００４９】
帯電領域２０２４ａ及び２０２４ｂには、遮光部材２０２４の長辺方向に沿ってそれぞれ異なる極性の永久電荷が付加されている。また、図４に示すように、帯電領域２０２４ａ及び２０２４ｂは、遮光部材２０２４の短辺方向に対して一定の間隔を空けて設けられている。
【００５０】
２つの透明電極２０２３ａは、長辺方向が遮光部材２０２４の長辺方向と一致する矩形形状としてそれぞれ形成されている。また、２つの透明電極２０２３ａは、図示しない信号線により遮光制御部２１８と電気的に接続されており、それぞれに対して同じ電圧が印加されるように結線されている。
【００５１】
２つの透明電極２０２３ｂは、長辺方向が遮光部材２０２４の長辺方向と一致する矩形形状としてそれぞれ形成されている。また、２つの透明電極２０２３ｂは、図示しない信号線により遮光制御部２１８と電気的に接続されており、それぞれに対して同じ電圧が印加されるように結線されている。
【００５２】
また、２つの透明電極２０２３ａ及び２つの透明電極２０２３ｂは、透明部材２０２２の光出射面の表面において、１つずつ交互に一定の間隔を空けて配置されている。なお、本実施例においては、透明電極２０２３ａと２０２３ｂとの間の間隔が、帯電領域２０２４ａと２０２４ｂとの間の間隔に略一致するように構成されている。
【００５３】
一方、図３に示すように、マイクロレンズ２０２５の光軸（図２の一点鎖線により示される軸）から遠い位置に配置された一方の透明電極２０２３ｂは、マイクロレンズ２０２５の光軸に近い位置に配置された他方の透明電極２０２３ｂよりも長辺の長さが短くなるように形成されている。そして、図４に示すように、前述の一方の透明電極２０２３ｂにおける長辺方向の両端から離れた位置には、帯電領域２０２４ｂと反対の極性の永久電荷がそれぞれ付加された帯電部材２０２３ｃが１つずつ設けられている。
【００５４】
すなわち、以上に述べたような構成によれば、いずれの透明電極２０２３ａ及び透明電極２０２３ｂにも電圧が印加されておらず、かつ、帯電部材２０２３ｃと帯電領域２０２４ｂとが略対向する位置に配置された場合において、クーロン力に応じた引力により遮光部材２０２４を保持することができる。
【００５５】
また、以上に述べたような構成によれば、透明電極２０２３ａ及び透明電極２０２３ｂに対する電圧の印加状態を連続的に変化させることにより、透明部材２０２２の光出射面に対して平行な方向に遮光部材２０２４を移動させることができる。換言すると、以上に述べたような構成によれば、撮像素子２０２の撮像面と遮光部材２０２４との相対的な位置を変位させることができる。
【００５６】
マイクロレンズ２０２５は、透明部材２０２２を通過した各光束のうち、遮光部材２０２４により遮られなかった光束を集光してカラーフィルタ２０２６へ出射する。
【００５７】
カラーフィルタ２０２６は、Ｒ（赤）、Ｇ（緑）またはＢ（青）のいずれかの帯域の光束のみを透過させるように構成されている。
【００５８】
配線層２０２７は、撮像素子２０２の各画素の配線を含む層であり、フォトダイオード２０２８に入射される光束を制限する絞りとして機能する。
【００５９】
フォトダイオード２０２８は、撮像素子２０２の撮像面に沿って設けられ、カラーフィルタ２０２６を通過した光束を受光して光電変換を行うことにより、受光光量に応じた画素信号を生成する。
【００６０】
図５は、遮光制御部の具体的な構成の一例を示す図である。図６は、図５の遮光制御部における各部から出力される信号形態を示す図である。
【００６１】
マイクロコンピュータ２１５の内部には、例えば図６のＳｉｇ１として示すような、基本クロックに係るパルス信号を出力するクロックジェネレータ２１５ａが設けられている。
【００６２】
クロックジェネレータ２１５ａから出力された前述のパルス信号は、透明電極２０２３ａ及び２０２３ｂに印加する信号周波数に比べて充分大きな周波数の信号であり、遮光制御部２１８のＮ進カウンタ２１８ａに入力される。
【００６３】
遮光制御部２１８のＮ進カウンタ２１８ａは、入力されるパルス信号のパルス数をカウントし、マイクロコンピュータ２１５のポートＤ＿ＮＣｎｔからの出力信号により設定される値である所定値Ｎに達する毎に、例えば図６のＳｉｇ２として示すような、カウント終了パルス信号を出力する。このような動作により、Ｎ進カウンタ２１８ａは、基本クロックに係るパルス信号を１／Ｎに分周する。
【００６４】
遮光制御部２１８の１／２分周回路２１８ｂは、Ｎ進カウンタ２１８ａにより分周されたパルス信号におけるＨｉｇｈとＬｏｗとの間のデューティー比を１：１に変換する。そして、１／２分周回路２１８ｂは、前述の変換を行うことにより、例えば図６のＳｉｇ３として示すような、ＨｉｇｈとＬｏｗとの間のデューティー比が１：１であるとともに、入力されるパルス信号（図６のＳｉｇ２として示す信号）の半分の周波数を有する信号を生成して１／２分周回路２１８ｃ及びイクスクルーシブオア（ＥｘＯＲ）回路２１８ｄへそれぞれ出力する。
【００６５】
遮光制御部２１８の１／２分周回路２１８ｃは、例えば図６のＳｉｇ４として示すような、入力されるパルス信号（図６のＳｉｇ３として示す信号）の半分の周波数を有する信号を生成して出力する。
【００６６】
ここで、図６のＳｉｇ４として示すパルス信号がＨｉｇｈである場合において、Ｐ型ＭＯＳトランジスタＱ０１がオン状態となる。一方、図６のＳｉｇ４として示すパルス信号がインバータ２１８ｅを経てＰ型ＭＯＳトランジスタＱ０２に印加されることにより、Ｓｉｇ４として示すパルス信号がＬｏｗである場合において、Ｐ型ＭＯＳトランジスタＱ０２がオン状態となる。すなわち、トランス２１８ｆの１次側に接続されたＰ型ＭＯＳトランジスタＱ０１及びＱ０２が交互にオン状態になることに伴ってトランス２１８ｆの２次側に発生する、図６のＳｉｇ５として示す信号が透明電極２０２３ａに印加される。
【００６７】
遮光制御部２１８のトランス２１８ｆの巻き線比は、カメラ本体２に設けられた図示しない電源回路から供給される電圧ＶＳの大きさと、遮光部材２０２４を駆動させるために透明電極２０２３ａに印加すべき電圧の大きさと、に基づいて決定されるものとする。
【００６８】
抵抗Ｒ００は、Ｐ型ＭＯＳトランジスタＱ０１及びＱ０２のドレイン側の端部と、トランス２１８ｆの２次側の一方の端部と、がそれぞれ接地電位になるように接続されており、すなわち、トランス２１８ｆに過大な電流が流れることを制限するために配設されている。
【００６９】
ここで、遮光部材２０２４を駆動させるためには、ＭＯＳトランジスタＱ００がオン状態であり、かつ、図示しない電源回路から供給される電圧ＶＳがトランス２１８ｆのセンタータップに印加されている必要がある。このような場合において、マイクロコンピュータ２１５は、ポートＰ＿ＰｗＣｏｎｔＢからの出力信号をＭＯＳトランジスタＱ００に印加することにより、ＭＯＳトランジスタＱ００をオンまたはオフするための制御を行う。そして、マイクロコンピュータ２１５は、ポートＰ＿ＰｗＣｏｎｔＢからの出力信号における周波数を、下記の数式（１）を用いた演算を行うことにより算出する。
【００７０】
ｆｄｒｖ＝ｆｐｌｓ／４Ｎ  ・・・（１）
但し、上記数式（１）において、ＮはＮ進カウンタ２１８ａにおける設定値を示し、ｆｐｌｓはクロックジェネレータ２１５ａから出力されるパルス信号の周波数を示し、ｆｄｒｖは遮光部材２０２４に印加される信号の周波数を示すものとする。
【００７１】
一方、１／２分周回路２１８ｂから出力されたパルス信号（図６のＳｉｇ３として示す信号）は、遮光制御部２１８のＥｘＯＲ回路２１８ｄを経ることにより、図６のＳｉｇ６として例示するパルス信号に変換されて１／２分周回路２１８ｇへ出力される。
【００７２】
すなわち、ＥｘＯＲ回路２１８ｄにより、マイクロコンピュータ２１５のポートＰ＿θＣｏｎｔからの出力信号がＨｉｇｈ状態の場合には、１／２分周回路２１８ｂから出力されたパルス信号の状態が反転して１／２分周回路２１８ｇへ出力される。また、ＥｘＯＲ回路２１８ｄにより、マイクロコンピュータ２１５のポートＰ＿θＣｏｎｔからの出力信号がＬｏｗ状態の場合には、１／２分周回路２１８ｂから出力されたパルス信号の状態が維持されたまま（反転されずに）１／２分周回路２１８ｇへ出力される。
【００７３】
遮光制御部２１８の１／２分周回路２１８ｇは、例えば図６のＳｉｇ７として示すような、入力されるパルス信号（図６のＳｉｇ６として示す信号）の半分の周波数を有する信号を生成して出力する。
【００７４】
ここで、図６のＳｉｇ７として示すパルス信号がＨｉｇｈである場合において、Ｐ型ＭＯＳトランジスタＱ１１がオン状態となる。一方、図６のＳｉｇ７として示すパルス信号がインバータ２１８ｅを経てＰ型ＭＯＳトランジスタＱ１２に印加されることにより、Ｓｉｇ７として示すパルス信号がＬｏｗである場合において、Ｐ型ＭＯＳトランジスタＱ１２がオン状態となる。すなわち、トランス２１８ｉの１次側に接続されたＰ型ＭＯＳトランジスタＱ１１及びＱ１２が交互にオン状態になることに伴ってトランス２１８ｉの２次側に発生する、図６のＳｉｇ８として示す信号が透明電極２０２３ｂに印加される。
【００７５】
遮光制御部２１８のトランス２１８ｉの巻き線比は、カメラ本体２に設けられた図示しない電源回路から供給される電圧ＶＳの大きさと、遮光部材２０２４を駆動させるために透明電極２０２３ｂに印加すべき電圧の大きさと、に基づいて決定されるものとする。
【００７６】
抵抗Ｒ１０は、Ｐ型ＭＯＳトランジスタＱ１１及びＱ１２のドレイン側の端部と、トランス２１８ｉの２次側の一方の端部と、がそれぞれ接地電位になるように接続されており、すなわち、トランス２１８ｉに過大な電流が流れることを制限するために配設されている。
【００７７】
ここで、遮光部材２０２４を駆動させるためには、ＭＯＳトランジスタＱ１０がオン状態であり、かつ、図示しない電源回路から供給される電圧ＶＳがトランス２１８ｉのセンタータップに印加されている必要がある。このような場合において、マイクロコンピュータ２１５は、ポートＰ＿ＰｗＣｏｎｔＡからの出力信号をＭＯＳトランジスタＱ１０に印加することにより、ＭＯＳトランジスタＱ１０をオンまたはオフするための制御を行う。そして、マイクロコンピュータ２１５は、ポートＰ＿ＰｗＣｏｎｔＡからの出力信号における周波数を、上記の数式（１）を用いた演算を行うことにより算出する。
【００７８】
前述の１／２分周回路２１８ｂ、２１８ｃ及び２１８ｇにおいては、入力されるパルス信号の立ち上がりエッジに応じて分周動作を行っている。そして、パルス信号の周波数が同じであっても、信号が反転している場合には、１／２分周回路２１８ｃから出力されるパルス信号と、１／２分周回路２１８ｇから出力されるパルス信号と、の間に９０°（π／２）の位相差が生じる。
【００７９】
従って、透明電極２０２３ａに印加される信号（図６のＳｉｇ５として示す信号）と、透明電極２０２３ｂに印加される信号（図６のＳｉｇ８として示す信号）と、の間には９０°（π／２）の位相差が発生する。そして、この位相差は、マイクロコンピュータ２１５のポートＰ＿θＣｏｎｔからの出力信号により制御可能である。具体的には、例えば、ポートＰ＿θＣｏｎｔからの出力信号がＨｉｇｈ状態であれば前述の位相差が９０°（π／２）となり、ポートＰ＿θＣｏｎｔからの出力信号がＬｏｗ状態であれば前述の位相差が０となる。すなわち、マイクロコンピュータ２１５のポートＰ＿θＣｏｎｔからの出力信号を制御することにより、透明電極２０２３ａに印加される信号と、透明電極２０２３ｂに印加される信号と、の間の位相差を変更できる。
【００８０】
そして、以上に述べたような９０°（π／２）の位相差を有する信号が透明電極２０２３ａ及び２０２３ｂに順次印加されることにより、遮光部材２０２４は、透明電極２０２３ａと２０２３ｂとの間隔を１ステップ分としたステップ移動を行う。
【００８１】
次に、遮光制御部２１８の制御に応じた遮光部材２０２４の動作に関する説明を行う。図７は、図３に示すように配置された透明電極に対する電圧の印加状態を説明するための図である。図８は、図７の時刻Ｔ０及びＴ７のタイミングにおける遮光部材の位置を模式的に示す図である。図９は、図７の時刻Ｔ２及びＴ５のタイミングにおける遮光部材の位置を模式的に示す図である。図１０は、図７の時刻Ｔ３のタイミングにおける遮光部材の位置を模式的に示す図である。なお、図８から図１０においては、図示の簡単のため、透明電極２０２３ａ及び２０２３ｂと、帯電部材２０２３ｃと、帯電領域２０２４ａ及び２０２４ｂと、をいずれも図示しないものとする。
【００８２】
まず、図７の時刻Ｔ０以前においては、いずれの透明電極２０２３ａ及び透明電極２０２３ｂにも電圧が印加されておらず、かつ、帯電部材２０２３ｃと帯電領域２０２４ｂとが略対向する位置に配置されているため、クーロン力に応じた引力により遮光部材２０２４が保持されている。
【００８３】
続いて、図７の時刻Ｔ０のタイミングにおいて、遮光制御部２１８の信号位相差を１８０°（π）に設定すると、透明電極２０２３ａに正の電圧が印加され、かつ、透明電極２０２３ｂに負の電圧が印加されることにより、透明電極２０２３ｂと帯電領域２０２４ｂとの間に斥力が生じ、遮光部材２０２４の保持状態が解除される。なお、透明部材２０２２の光入射面側から見た場合、図７の時刻Ｔ０のタイミングにおいて、例えば図８に示すような位置（マイクロレンズ２０２５の光入射面の一方の半分を略覆うような位置）に遮光部材２０２４が配置される。
【００８４】
さらに、遮光制御部２１８の信号位相差を９０°（π／２）に設定したまま、図７の時刻Ｔ０→Ｔ１→Ｔ２→Ｔ３のように透明電極２０２３ａ及び２０２３ｂに印加される電圧が順次変化されると、透明部材２０２２の光出射面に対して平行な方向（紙面左側→右側）に遮光部材２０２４がステップ移動する。そして、透明部材２０２２の光入射面側から見た場合、図７の時刻Ｔ２のタイミングにおいて、例えば図９に示すような位置（マイクロレンズ２０２５の光入射面の中央部を覆うような位置）に遮光部材２０２４が配置される。また、透明部材２０２２の光入射面側から見た場合、図７の時刻Ｔ３のタイミングにおいて、例えば図１０に示すような位置（マイクロレンズ２０２５の光入射面の他方の半分を略覆うような位置）に遮光部材２０２４が配置される。
【００８５】
その後、図７の時刻Ｔ４のタイミングにおいて、透明電極２０２３ａに負の電圧が印加され、かつ、透明電極２０２３ｂの印加電圧が０になることにより、時刻Ｔ０〜Ｔ３における移動方向とは反対の方向に遮光部材２０２４が移動を開始する。
【００８６】
さらに、図７の時刻Ｔ４→Ｔ５→Ｔ６→Ｔ７のように透明電極２０２３ａ及び２０２３ｂに印加される電圧が順次変化されると、透明部材２０２２の光出射面に対して平行な方向（紙面右側→左側）に遮光部材２０２４がステップ移動する。そして、透明部材２０２２の光入射面側から見た場合、図７の時刻Ｔ５のタイミングにおいて、例えば図９に示すような位置（マイクロレンズ２０２５の光入射面の中央部を覆うような位置）に遮光部材２０２４が配置される。また、透明部材２０２２の光入射面側から見た場合、図７の時刻Ｔ７のタイミングにおいて、例えば図８に示すような位置（マイクロレンズ２０２５の光入射面の一方の半分を略覆うような位置）に遮光部材２０２４が配置される。
【００８７】
すなわち、遮光制御部２１８は、図７に示すように透明電極２０２３ａ及び２０２３ｂに印加する電圧を順次変化することにより、遮光部材２０２４を透明部材２０２２の光出射面に対して平行移動させることができる。
【００８８】
本実施例によれば、遮光制御部２１８から透明電極２０２３ａ及び２０２３ｂに対して電圧が印加されておらずとも、図７の時刻Ｔ０のタイミングに相当する位置に遮光部材２０２４が保持される。このような構成にならい、例えば、マイクロレンズ２０２５の光軸（図２の一点鎖線により示される軸）から遠い位置に配置された一方の透明電極２０２３ａの近傍に帯電部材２０２３ｃと同様の部材を設けることにより、遮光制御部２１８から透明電極２０２３ａ及び２０２３ｂに対して電圧が印加されておらずとも、図７の時刻Ｔ３のタイミングに相当する位置に遮光部材２０２４を保持することができる。
【００８９】
なお、本実施例においては、マイクロレンズ２０２５の光入射面の略半分を覆うことが可能な形状を有する限りにおいては、矩形の遮光部材２０２４を用いて焦点検出用の画素２０２１を構成するものに限らない。
【００９０】
ここで、矩形の遮光部材２０２４の代わりに用いることが可能な他の遮光部材についての説明を行う。図１１は、焦点検出用の画素に設けられた透明部材の光入射面側から見た場合における透明電極と帯電部材との配置状態の、図３とは異なる例を示す図である。図１２は、図１１に示す配置状態の透明電極及び帯電部材に応じて設けられた、遮光部材の帯電領域の一例を示す図である。
【００９１】
透明部材２０２２の光出射面の表面には、図１１に示すように、４つの透明電極２１２３ａと、４つの透明電極２１２３ｂと、４つの透明電極２１２３ａとそれぞれ対をなす４つの帯電部材２１２３ｃと、４つの透明電極２１２３ｂとそれぞれ対をなす４つの帯電部材２１２３ｄと、が設けられている。
【００９２】
一方、遮光部材２１２４は、図１２に示すように、半円状の光遮断部２１２４ａと、半円状の光透過部２１２４ｂと、を組み合わせた円板形状として形成されており、透明部材２０２２を透過した光束のうちの略半分を遮断可能な位置に配置されている。
【００９３】
また、図１２に示すように、光遮断部２１２４ａにおける、透明電極２１２３ａ及び２１２３ｂに対向する面の円周方向には、永久電荷を保持可能な材料により形成された帯電領域２１２４ｃ及び２１２４ｄが設けられている。なお、永久電荷を保持可能な材料としては、例えば、ポリテトラフルオロエチレン（ＰＴＦＥ）、フッ化エチレンプロピレン（ＦＥＰ）、ポリビニリデンフルオライド（ＰＶＤＦ）、二酸化ケイ素（ＳｉＯ2）、及び、フッ化物重合体等が挙げられる。
【００９４】
帯電領域２１２４ｃ及び２１２４ｄには、遮光部材２１２４の中心付近から放射状にそれぞれ異なる極性の永久電荷が付加されている。また、図１２に示すように、帯電領域２１２４ｃ及び２１２４ｄは、光遮断部２１２４ａの円周方向に沿う位置において、所定の角度（３６０°を偶数で割った角度）をなして設けられている。
【００９５】
４つの透明電極２１２３ａは、帯電領域２１２４ｃ及び２１２４ｄの形状と略一致する扇形形状としてそれぞれ形成されている。また、４つの透明電極２０２３ａは、図示しない信号線により遮光制御部２１８と電気的に接続されており、それぞれに対して同じ電圧が印加されるように結線されている。
【００９６】
４つの透明電極２１２３ｂは、帯電領域２１２４ｃ及び２１２４ｄの形状と略一致する扇形形状としてそれぞれ形成されている。また、４つの透明電極２０２３ｂは、図示しない信号線により遮光制御部２１８と電気的に接続されており、それぞれに対して同じ電圧が印加されるように結線されている。
【００９７】
また、４つの透明電極２１２３ａ及び４つの透明電極２１２３ｂは、透明部材２０２２の光出射面の表面において、１つずつ交互に一定の間隔を空けて配置されている。なお、本実施例においては、透明電極２１２３ａと２１２３ｂとの間の間隔が、帯電領域２１２４ｃと２１２４ｄとの間の間隔に略一致するように構成されている。
【００９８】
一方、図１１に示すように、４つの透明電極２１２３ａの扇形形状の弧からさらに外周側に離れた位置には、帯電領域２１２４ｄと反対の極性の永久電荷がそれぞれ付加された帯電部材２１２３ｃが１つずつ設けられている。また、４つの透明電極２１２３ｂの扇形形状の弧からさらに外周側に離れた位置には、帯電領域２１２４ｃと反対の極性の永久電荷がそれぞれ付加された帯電部材２１２３ｄが１つずつ設けられている。
【００９９】
すなわち、以上に述べたような構成によれば、いずれの透明電極２１２３ａ及び透明電極２１２３ｂにも電圧が印加されておらず、帯電部材２１２３ｃと帯電領域２１２４ｄとが略対向する位置に配置され、かつ、帯電部材２１２３ｄと帯電領域２１２４ｃとが略対向する位置に配置された場合において、クーロン力に応じた引力により遮光部材２１２４を保持することができる。
【０１００】
また、以上に述べたような構成によれば、撮像素子２０２の撮像面と遮光部材２１２４との相対的な位置を変位させることができる。
【０１０１】
ここで、遮光制御部２１８の制御に応じた遮光部材２１２４の動作に関する説明を行う。図１３は、図１１に示すように配置された透明電極に対する電圧の印加状態を説明するための図である。図１４は、図１３の時刻Ｔ１０及びＴ２５のタイミングにおける遮光部材の位置を模式的に示す図である。図１５は、図１３の時刻Ｔ１１のタイミングにおける遮光部材の位置を模式的に示す図である。図１６は、図１３の時刻Ｔ１３のタイミングにおける遮光部材の位置を模式的に示す図である。図１７は、図１３の時刻Ｔ１５のタイミングにおける遮光部材の位置を模式的に示す図である。図１８は、図１３の時刻Ｔ１７のタイミングにおける遮光部材の位置を模式的に示す図である。図１９は、図１３の時刻Ｔ１９のタイミングにおける遮光部材の位置を模式的に示す図である。図２０は、図１３の時刻Ｔ２１のタイミングにおける遮光部材の位置を模式的に示す図である。図２１は、図１３の時刻Ｔ２３のタイミングにおける遮光部材の位置を模式的に示す図である。なお、図１４から図２１においては、図示の簡単のため、透明電極２１２３ａ及び２１２３ｂと、帯電部材２１２３ｃ及び２１２３ｄと、帯電領域２１２４ｃ及び２１２４ｄと、をいずれも図示しないものとする。
【０１０２】
まず、図１３の時刻Ｔ１０以前においては、いずれの透明電極２１２３ａ及び透明電極２１２３ｂにも電圧が印加されておらず、帯電部材２１２３ｃと帯電領域２１２４ｄとが略対向する位置に配置され、かつ、帯電部材２１２３ｄと帯電領域２１２４ｃとが略対向する位置に配置されているため、クーロン力に応じた引力により遮光部材２１２４が保持されている。
【０１０３】
続いて、図１３の時刻Ｔ１０のタイミングにおいて、透明電極２１２３ａに正の電圧が印加され、かつ、透明電極２１２３ｂに負の電圧が印加されることにより、透明電極２１２３ａと帯電領域２１２４ｄとの間に斥力が生じ、透明電極２１２３ｂと帯電領域２１２４ｃとの間に斥力が生じるため、遮光部材２１２４の保持状態が解除される。なお、透明部材２０２２の光入射面側から見た場合、図１３の時刻Ｔ１０のタイミングにおいて、例えば図１４に示すような位置（回転角度＝０°の位置）に遮光部材２０２４が配置される。
【０１０４】
さらに、図１３の時刻Ｔ１０→Ｔ１１→Ｔ１２→Ｔ１３→Ｔ１４→Ｔ１５→Ｔ１６→Ｔ１７のように透明電極２１２３ａ及び２１２３ｂに印加される電圧が順次変化されると、遮光部材２１２４の中心を中心として光遮断部２１２４ａ及び光透過部２１２４ｂが回転することにより、紙面に向かって左回りに４５°ずつ光遮断部２１２４ａがステップ移動する。そして、透明部材２０２２の光入射面側から見た場合、図１３の時刻Ｔ１１のタイミングにおいて、例えば図１５に示すような位置（回転角度＝４５°の位置）に光遮断部２１２４ａが配置される。また、透明部材２０２２の光入射面側から見た場合、図１３の時刻Ｔ１３のタイミングにおいて、例えば図１６に示すような位置（回転角度＝９０°の位置）に光遮断部２１２４ａが配置される。また、透明部材２０２２の光入射面側から見た場合、図１３の時刻Ｔ１５のタイミングにおいて、例えば図１７に示すような位置（回転角度＝１３５°の位置）に光遮断部２１２４ａが配置される。また、透明部材２０２２の光入射面側から見た場合、図１３の時刻Ｔ１７のタイミングにおいて、例えば図１８に示すような位置（回転角度＝１８０°の位置）に光遮断部２１２４ａが配置される。
【０１０５】
その後、図１３の時刻Ｔ１７→Ｔ１８→Ｔ１９→Ｔ２０→Ｔ２１→Ｔ２２→Ｔ２３→Ｔ２４→Ｔ２５のように透明電極２１２３ａ及び２１２３ｂに印加される電圧が順次変化されると、遮光部材２１２４の中心を中心として光遮断部２１２４ａ及び光透過部２１２４ｂが回転することにより、紙面に向かって左回りに４５°ずつ光遮断部２１２４ａがステップ移動する。そして、透明部材２０２２の光入射面側から見た場合、図１３の時刻Ｔ１９のタイミングにおいて、例えば図１９に示すような位置（回転角度＝２２５°の位置）に光遮断部２１２４ａが配置される。また、透明部材２０２２の光入射面側から見た場合、図１３の時刻Ｔ２１のタイミングにおいて、例えば図２０に示すような位置（回転角度＝２７０°の位置）に光遮断部２１２４ａが配置される。また、透明部材２０２２の光入射面側から見た場合、図１３の時刻Ｔ２３のタイミングにおいて、例えば図２１に示すような位置（回転角度＝３１５°の位置）に光遮断部２１２４ａが配置される。また、透明部材２０２２の光入射面側から見た場合、図１３の時刻Ｔ２５のタイミングにおいて、例えば図１４に示すような位置（回転角度＝３６０°の位置）に光遮断部２１２４ａが配置される。
【０１０６】
すなわち、遮光制御部２１８は、図１３に示すように透明電極２１２３ａ及び２１２３ｂに印加する電圧を順次変化することにより、遮光部材２１２４の光遮断部２１２４ａを回転移動させることができる。
【０１０７】
そして、以上に述べたような構成を具備する焦点検出用の画素２０２１が、撮像素子２０２の撮像面において一対ずつ離散的に設けられている。図２２は、撮像素子の撮像面における焦点検出用の画素の配置の一例を示す図である。
【０１０８】
具体的には、例えば図２２に示すように、一対の焦点検出用の画素２０２１ａ、２０２１ｂ、２０２１ｃ及び２０２１ｄは、同色（赤色または青色のいずれか）の光束を透過させるカラーフィルタ２０２６を有してそれぞれ構成されている。
【０１０９】
なお、例えば図２２に示すように、一対の焦点検出用の画素２０２１ｂには、図４に示した形状の遮光部材２０２４が撮像素子２０２の撮像面の水平方向に沿って移動するように設けられている。これに応じ、一対の焦点検出用の画素２０２１ｂは、撮像素子２０２の撮像面の水平方向の位相差を検出可能な画素信号を出力する。
【０１１０】
また、例えば図２２に示すように、一対の焦点検出用の画素２０２１ｃには、図４に示した形状の遮光部材２０２４が撮像素子２０２の撮像面の垂直方向に沿って移動するように設けられている。これに応じ、一対の焦点検出用の画素２０２１ｃは、撮像素子２０２の撮像面の垂直方向の位相差を検出可能な画素信号を出力する。
【０１１１】
一方、例えば図２２に示すように、一対の焦点検出用の画素２０２１ａ（２０２１ｄ）には、図１２に示した形状の遮光部材２１２４が設けられている。
【０１１２】
そのため、一対の焦点検出用の画素２０２１ａ（２０２１ｄ）は、例えば、一方の画素の遮光部材２１２４が図１４に示すような位置に配置され、かつ、他方の画素の遮光部材２１２４が図１８に示すような位置に配置されている場合に、撮像素子２０２の撮像面の水平方向の位相差を検出可能な画素信号を出力する。
【０１１３】
また、一対の焦点検出用の画素２０２１ａ（２０２１ｄ）は、例えば、一方の画素の遮光部材２１２４が図１５に示すような位置に配置され、かつ、他方の画素の遮光部材２１２４が図１９に示すような位置に配置されている場合に、撮像素子２０２の撮像面の右斜め４５°方向の位相差を検出可能な画素信号を出力する。
【０１１４】
また、一対の焦点検出用の画素２０２１ａ（２０２１ｄ）は、例えば、一方の画素の遮光部材２１２４が図１６に示すような位置に配置され、かつ、他方の画素の遮光部材２１２４が図２０に示すような位置に配置されている場合に、撮像素子２０２の撮像面の垂直方向の位相差を検出可能な画素信号を出力する。
【０１１５】
また、一対の焦点検出用の画素２０２１ａ（２０２１ｄ）は、例えば、一方の画素の遮光部材２１２４が図１７に示すような位置に配置され、かつ、他方の画素の遮光部材２１２４が図２１に示すような位置に配置されている場合に、撮像素子２０２の撮像面の左斜め４５°方向の位相差を検出可能な画素信号を出力する。
【０１１６】
ここで、本実施例に係る撮像装置１の撮影時の具体的な動作についての説明を行う。図２３は、本実施例に係る撮像装置の撮影時の動作の要部を説明するためのフローチャートである。
【０１１７】
まず、マイクロコンピュータ２１５は、操作部２１６の電源ボタンの操作によりカメラ本体２の電源がオンされる（図２３のステップＳ１）と、動画記録を実施しているか否かを示す値である記録中フラグの値をオフに設定する（図２３のステップＳ２）。
【０１１８】
マイクロコンピュータ２１５は、操作部２１６の再生ボタンが操作されたことを検出する（図２３のステップＳ３）と、撮影により得られた静止画または動画を記録媒体２１２から読み出してＬＣＤ２１４に表示させるための制御を行う（図２３のステップＳ４）。
【０１１９】
マイクロコンピュータ２１５は、操作部２１６の動画ボタンが操作されたことを検出する（図２３のステップＳ５）と、図２３のステップＳ２において設定した記録中フラグの値を反転（オフで合った場合はオン、オンであった場合はオフ）する（図２３のステップＳ６）。また、マイクロコンピュータ２１５は、操作部２１６の動画ボタンが操作されない場合においては、記録中フラグの値をそのまま保持する。
【０１２０】
その後、マイクロコンピュータ２１５は、記録フラグの値を参照することにより、動画を記録している最中であるか否かの判定を行う（図２３のステップＳ７）。そして、マイクロコンピュータ２１５は、記録中フラグの値がオンであることを検出した場合には、動画を記録している最中であるとみなし、後述の図２３のステップＳ１４の処理を行う。
【０１２１】
また、マイクロコンピュータ２１５は、記録中フラグの値がオフであることを検出した場合には、動画を記録している最中ではないとみなし、操作部２１６のレリーズボタンが半押しされたか否かの判定を続いて行う（図２３のステップＳ８）。
【０１２２】
マイクロコンピュータ２１５は、操作部２１６のレリーズボタンが半押しされたことを検出すると、メカシャッター２０１及びＡＥ処理部２０８と連携してＡＥに係る動作を行い（図２３のステップＳ９）、さらに、ＡＦ処理部２０９と連携してＡＦに係る動作を行う（図２３のステップＳ１０）。
【０１２３】
なお、マイクロコンピュータ２１５は、前述のＡＦに係る動作を行う際に、遮光制御部２１８を制御することにより、撮像素子２０２の撮像面に設けられた焦点検出用の画素各々における遮光部材の位置をＡＦ用の位置に移動させるようにする。
【０１２４】
具体的には、マイクロコンピュータ２１５は、遮光制御部２１８を制御することにより、例えば、一対の焦点検出用の画素２０２１ｂにおいて、一方の画素における遮光部材２０２４を図８に示すような位置に移動させ、かつ、他方の画素における遮光部材２０２４を図１０に示すような位置に移動させる。また、マイクロコンピュータ２１５は、遮光制御部２１８を制御することにより、例えば、一対の焦点検出用の画素２０２１ａにおいて、一方の画素における遮光部材２１２４を図１５に示すような位置に移動させ、かつ、他方の画素における遮光部材２１２４を図１９に示すような位置に移動させる。
【０１２５】
そして、撮像素子２０２の撮像面に設けられた焦点検出用の画素各々における遮光部材の位置がＡＦ用の位置に移動されると、撮影及び画像データの取得が行われ、ＡＦ処理部２０９が前述の演算等を行うことによりデフォーカス量が算出され、このデフォーカス量に応じて合焦状態となるようにマイクロコンピュータ３０３がレンズ３０１を駆動させる。
【０１２６】
なお、マイクロコンピュータ２１５は、図２３のステップＳ８の判定処理において、操作部２１６のレリーズボタンが半押しされていないことを検出した場合には、図２３のステップＳ１１の処理を続けて行うものとする。
【０１２７】
一方、マイクロコンピュータ２１５は、図２３のステップＳ９のＡＥに係る動作、及び、図２３のステップＳ１０のＡＦに係る動作を行った後、さらに、カメラ本体２の電源がオンされたままであることを検出し（図２３のステップＳ１７）、図２３のステップＳ３及びＳ５に示す操作が行われていないことを検出し、図２３のステップＳ７において記録中フラグがオフであることを検出した場合、前回の判定処理から現在に至るまでの所定時間内に操作部２１６のレリーズボタンが半押しされたか否かの判定を再度行う（図２３のステップＳ８）。
【０１２８】
そして、マイクロコンピュータ２１５は、図２３のステップＳ８の再判定処理において、例えば、ファーストレリーズスイッチ及びセカンドレリーズスイッチが両方ともオフ状態になっていることを検出した場合、ファーストレリーズスイッチのオン状態が前回の判定処理時のまま維持されていることを検出した場合、または、既にセカンドレリーズスイッチがオン状態であることを検出した場合のいずれかにおいて、操作部２１６のレリーズボタンが改めて半押しされていないものとみなし、図２３のステップＳ１１の処理を続けて行う。
【０１２９】
マイクロコンピュータ２１５は、図２３のステップＳ８の再判定処理において、例えば、ファーストレリーズスイッチの状態が前述の所定時間内にオン→オフ→オンの順に切り替えられたことを検出した場合に、操作部２１６のレリーズボタンが改めて半押しされたものとみなし、図２３のステップＳ９のＡＥに係る動作、及び、図２３のステップＳ１０のＡＦに係る動作を再度行う。
【０１３０】
一方、マイクロコンピュータ２１５は、図２３のステップＳ８の処理結果に応じ、さらに、レリーズボタンが全押しされたか否かの判定を行う（図２３のステップＳ１１）。
【０１３１】
そして、マイクロコンピュータ２１５は、操作部２１６のレリーズボタンが全押しされていないことを検出した場合においては、図２３のステップＳ１４の処理を行う。また、マイクロコンピュータ２１５は、操作部２１６のレリーズボタンが全押しされたことを検出した場合には、静止画撮影に係るシーケンスを実行する（図２３のステップＳ１２）。図２４は、静止画撮影に係るシーケンスの一例を示すフローチャートである。
【０１３２】
マイクロコンピュータ２１５は、図２３のステップＳ９のＡＥにおいて用いた露光時間を予め設定された露光回数で除することにより、撮像素子２０２の撮像面に設けられた焦点検出用の画素各々における１回分の露光時間を算出する（図２４のステップＳ１０１）。なお、以降においては、露光回数が３回に設定された場合の例について説明を行う。但し、前述の露光回数は、３回に限られるものではなく、２回以上であれば何回であってもよい。
【０１３３】
マイクロコンピュータ２１５は、前述の１回分の露光時間の算出を行った後、図２３のステップＳ１０のＡＦにおいて用いたＡＦ用の位置である、第１の位置に遮光部材を移動させる制御を遮光制御部２１８に対して行うことにより、当該遮光部材の位置をリセットする（図２４のステップＳ１０２）。
【０１３４】
マイクロコンピュータ２１５は、遮光部材が第１の位置に移動した際に、メカシャッター２０１及びＡＥ処理部２０８を制御することにより、フォトダイオード２０２８の電荷をリセットした後、図２３のステップＳ９のＡＥにおいて用いたＩＳＯ感度及び絞り値と、図２４のステップＳ１０１において算出した１回分の露光時間と、に基づいて１回目の露光を行わせる（図２４のステップＳ１０３）。そして、このようにして１回目の露光が行われることにより、第１の位置に遮光部材が位置している際に撮像された被写体像の画像データが生成され（図２４のステップＳ１０４）、ＳＤＲＡＭ２０６に一旦格納される。
【０１３５】
また、マイクロコンピュータ２１５は、前述の第１の位置とは異なる第２の位置に遮光部材を移動させる制御を遮光制御部２１８に対して行う（図２４のステップＳ１０５）。
【０１３６】
マイクロコンピュータ２１５は、遮光部材が第２の位置に移動した際に、メカシャッター２０１及びＡＥ処理部２０８を制御することにより、フォトダイオード２０２８の電荷をリセットした後、図２３のステップＳ９のＡＥにおいて用いたＩＳＯ感度及び絞り値と、図２４のステップＳ１０１において算出した１回分の露光時間と、に基づいて２回目の露光を行わせる（図２４のステップＳ１０６）。そして、このようにして２回目の露光が行われることにより、第２の位置に遮光部材が位置している際に撮像された被写体像の画像データが生成され（図２４のステップＳ１０７）、ＳＤＲＡＭ２０６に一旦格納される。
【０１３７】
さらに、マイクロコンピュータ２１５は、前述の第１及び第２の位置とのいずれとも異なる第３の位置に遮光部材を移動させる制御を遮光制御部２１８に対して行う（図２４のステップＳ１０８）。
【０１３８】
マイクロコンピュータ２１５は、遮光部材が第３の位置に移動した際に、メカシャッター２０１及びＡＥ処理部２０８を制御することにより、フォトダイオード２０２８の電荷をリセットした後、図２３のステップＳ９のＡＥにおいて用いたＩＳＯ感度及び絞り値と、図２４のステップＳ１０１において算出した１回分の露光時間と、に基づいて３回目の露光を行わせる（図２４のステップＳ１０９）。そして、このようにして３回目の露光が行われることにより、第３の位置に遮光部材が位置している際に撮像された被写体像の画像データが生成され（図２４のステップＳ１１０）、ＳＤＲＡＭ２０６に一旦格納される。
【０１３９】
その後、マイクロコンピュータ２１５は、図２４のステップＳ１０４、ステップＳ１０７、及び、ステップＳ１１０においてそれぞれ得られた３つの画像データをＳＤＲＡＭ２０６から読み込んで加算合成する処理を行う（図２４のステップＳ１１１）ことにより、ＲＡＷ画像データを生成する。
【０１４０】
さらに、マイクロコンピュータ２１５は、輝度値補正用の補正値を不揮発性メモリ２１７から読み込む。そして、マイクロコンピュータ２１５は、図２４のステップＳ１１１の処理結果として得られた合成後の画像データ（ＲＡＷ画像データ）における焦点検出用の画素の輝度値に対し、不揮発性メモリ２１７から読み込んだ補正値を乗ずることにより、当該焦点検出用の画素の輝度値を個別に補正する（図２４のステップＳ１１２）。
【０１４１】
ここで、図２４のステップＳ１１２の処理において用いられる補正値の算出方法について説明を行う。
【０１４２】
まず、カメラ本体２に任意の交換式レンズ３を装着した状態において、例えば、晴天時の自然光と略同様の条件を満たす光を発する光源を用い、画角内の全てが白色となるような被写体を図２４のステップＳ１０１〜ステップＳ１１１のフローに沿って撮影する。そして、マイクロコンピュータ２１５は、このように撮影して得られた合成後の画像データにおける、焦点検出用の画素の輝度値と、当該焦点検出用の画素の近傍に配置された撮影用の画素の輝度値の平均値と、を用いた演算を行うことにより前述の補正値を取得する。
【０１４３】
具体的には、例えば、図２５に示すような位置に焦点検出用の画素２０２１ｐ及び２０２１ｑが配置されている場合において、マイクロコンピュータ２１５は、焦点検出用の画素２０２１ｐ及び２０２１ｑの近傍に配置された７つの撮影用の画素４００１の輝度値の平均値Ｒａ１を算出する。そして、マイクロコンピュータ２１５は、前述の平均値Ｒａ１を焦点検出用の画素２０２１ｐの輝度値Ｒｐにより除した値である、Ｒａ１／Ｒｐの値を焦点検出用の画素２０２１ｐに対応する補正値として取得する。また、マイクロコンピュータ２１５は、前述の平均値Ｒａ１を焦点検出用の画素２０２１ｑの輝度値Ｒｑにより除した値である、Ｒａ１／Ｒｑの値を焦点検出用の画素２０２１ｑに対応する補正値として取得する。
【０１４４】
なお、以上に述べたような補正値の演算は、撮像素子２０２の撮像面に設けられた全ての焦点検出用の画素に対して行われるものであるとする。そのため、不揮発性メモリ２１７には、撮像素子２０２の撮像面に設けられた全ての焦点検出用の画素毎に対応する補正値が格納される。
【０１４５】
従って、以上に述べたような演算を経て得られた補正値を用いて輝度値を補正することにより、焦点検出用の各画素から出力される画素信号の情報を用いて静止画の画像データを生成することができる。
【０１４６】
なお、本実施例によれば、静止画撮影に係るシーケンスとして、図２４に示した処理フローのみが適用されるものに限らず、例えば、図２６に示すような処理フローが適用されるものであってもよい。図２６は、静止画撮影に係るシーケンスの、図２４とは異なる例を示すフローチャートである。
【０１４７】
マイクロコンピュータ２１５は、図２３のステップＳ１０のＡＦにおいて用いたＡＦ用の位置に遮光部材を移動させる制御を遮光制御部２１８に対して行うことにより、当該遮光部材の位置をリセットする（図２６のステップＳ１２１）。
【０１４８】
マイクロコンピュータ２１５は、メカシャッター２０１及びＡＥ処理部２０８を制御することにより、フォトダイオード２０２８の電荷をリセットした後、図２３のステップＳ９のＡＥにおいて用いたＩＳＯ感度、絞り値及び露光時間に基づき、遮光部材を移動させながら露光を行わせるための制御を行う（図２６のステップＳ１２２）。
【０１４９】
具体的には、マイクロコンピュータ２１５は、例えば遮光部材２０２４を有する焦点検出用の画素の場合においては、図７に示した時刻Ｔ０〜Ｔ７までの期間と、図２３のステップＳ９のＡＥにおいて用いた露光時間と、が略一致するように遮光部材２０２４を移動させる制御を遮光制御部２１８に対して行う。また、マイクロコンピュータ２１５は、例えば遮光部材２１２４を有する焦点検出用の画素の場合においては、図１３に示した時刻Ｔ１０〜Ｔ２５までの期間と、図２３のステップＳ９のＡＥにおいて用いた露光時間と、が略一致するように遮光部材２１２４を回転させる制御を遮光制御部２１８に対して行う。
【０１５０】
なお、マイクロコンピュータ２１５は、図２６のステップＳ１２２において、遮光部材を常時移動させるように制御を行うものであってもよく、または、遮光部材の移動期間と停止期間とを交互に繰り返すように制御を行うものであってもよい。
【０１５１】
そして、以上に述べたように露光が行われることにより、図２３のステップＳ９のＡＥにおいて用いた露光時間が経過する毎に画像データ（ＲＡＷ画像データ）が生成され、（図２６のステップＳ１２３）、ＳＤＲＡＭ２０６に一旦格納される。
【０１５２】
その後、マイクロコンピュータ２１５は、輝度値補正用の補正値を不揮発性メモリ２１７から読み込む。そして、マイクロコンピュータ２１５は、図２６のステップＳ１２３の処理結果として得られた画像データ（ＲＡＷ画像データ）における焦点検出用の画素の輝度値に対し、不揮発性メモリ２１７から読み込んだ補正値を乗ずることにより、当該焦点検出用の画素の輝度値を個別に補正する（図２６のステップＳ１２４）。なお、図２６のステップＳ１２４の処理においては、例えば、晴天時の自然光と略同様の条件を満たす光を発する光源を用い、画角内の全てが白色となるような被写体を図２６のステップＳ１２１〜ステップＳ１２３のフローに沿って撮影し、得られた画像データを用いて図２４のステップＳ１１２の処理において用いた補正値と同様な方法で算出した補正値を用いて輝度値を補正することができる。
【０１５３】
一方、画像処理部２０７及び画像圧縮展開部２１０は、静止画撮影に係るシーケンスの実行結果として得られた静止画データに対し、画像処理に係るシーケンスを実行する（図２３のステップＳ１３）。なお、この画像処理に係るシーケンスについては、後程説明を行う。
【０１５４】
また、マイクロコンピュータ２１５は、図２３のステップＳ７において記録中フラグの値がオンであることを検出した場合、または、図２３のステップＳ１１においてレリーズボタンが全押しされていないことを検出した場合のいずれかの場合に、メカシャッター２０１及びＡＥ処理部２０８と連携してＡＥに係る動作を行う（図２３のステップＳ１４）
さらに、マイクロコンピュータ２１５は、図２３のステップＳ１４におけるＡＥを行った後、動画撮影に係るシーケンスを実行する（図２３のステップＳ１５）。図２７は、動画撮影に係るシーケンスの一例を示すフローチャートである。
【０１５５】
マイクロコンピュータ２１５は、図２３のステップＳ１４のＡＥにおいて用いたＩＳＯ感度、絞り値及びシャッター速度に基づき、撮像素子２０２の電子シャッター機能を動作させながら撮影を行う（図２７のステップＳ１３１）。
【０１５６】
そして、マイクロコンピュータ２１５は、図２７のステップＳ１３１の撮影を行うことにより得られた画像データの中から予め設定された画素のデータを間引く処理を行う（図２７のステップＳ１３２）。
【０１５７】
具体的には、マイクロコンピュータ２１５は、図２７のステップＳ１３１の撮影を行うことにより得られた画像データの中から、焦点検出用の画素が配置されているライン上の画素のデータを１ライン単位で間引き、かつ、焦点検出用の画素が配置されていないライン上の画素のデータを一定間隔かつ１ライン単位で間引く（あるいは間引かない）ようにする。このような処理により、例えば図２８に示したような画素の配置状態においては、撮像素子２０２の撮像面の水平方向に沿ったラインＬ１の画素のデータが１ライン単位で間引かれるとともに、撮像素子２０２の撮像面の水平方向に沿ったラインＬ２の画素のデータにより動画データが生成される。
【０１５８】
なお、図２７のステップＳ１３２においては、撮像素子２０２の撮像面の水平方向に沿ったライン上の画素のデータを間引く処理が行われるものに限らず、撮像素子２０２の撮像面の垂直方向に沿ったライン上の画素のデータを間引く処理が行われるものであってもよい。
【０１５９】
一方、画像処理部２０７及び画像圧縮展開部２１０は、動画撮影に係るシーケンスの実行結果として得られた動画データに対し、画像処理に係るシーケンスを実行する（図２３のステップＳ１６）。
【０１６０】
ここで、図２３のステップＳ１３及びステップＳ１６における共通のシーケンスとして実行される、画像処理に係るシーケンスの説明を行う。図２９は、画像処理に係るシーケンスの一例を示すフローチャートである。
【０１６１】
画像処理部２０７は、静止画撮影に係るシーケンスの実行結果として得られた静止画データ、または、動画撮影に係るシーケンスの実行結果として得られた動画データに対し、ＯＢ（オプティカルブラック）減算、ＷＢ（ホワイトバランス）補正、同時化、カラーマトリクス乗算、ガンマ変換、エッジ強調、及び、ノイズリダクション等からなる現像処理を施す（図２９のステップＳ１４１）。
【０１６２】
そして、画像処理部２０７は、現像処理を施した後の静止画データをレックビュー画像（撮影確認用画像）として表示させる、または、現像処理を施した後の動画データをライブビュー画像としてＬＣＤ２１４に表示させる（図２９のステップＳ１４２）。
【０１６３】
その後、画像圧縮展開部２１０は、静止画撮影を行った場合に、現像処理が施された後の静止画データに対して圧縮処理を施すことにより、当該静止画データをＪＰＥＧファイル等の静止画ファイルとして記録する（図２９のステップＳ１４３及びステップＳ１４４）。なお、本実施例においては、カメラ本体２の設定に応じて、図２４のステップＳ１１２または図２６のステップＳ１２４の輝度補正処理が実施される前のＲＡＷ画像データが記録されるものであってもよい。
【０１６４】
また、画像圧縮展開部２１０は、動画記録中である場合（記録中フラグの値がオンである場合）に、現像処理が施された後の動画データに対して圧縮処理を施すことにより、当該動画データを動画ファイルとして保存する（図２９のステップＳ１４５及びステップＳ１４６）。このとき、画像圧縮展開部２１０は、記録開始直後の最初のフレーム（記録中フラグの値がオフからオンになった直後のフレーム）において必要なヘッダ情報を生成し、当該生成したヘッダ情報に併せて新規の動画ファイルを作成する。また、画像圧縮展開部２１０は、最初のフレーム以降の各フレームの動画データを、作成済の動画ファイルに順次追記する。
【０１６５】
その後、マイクロコンピュータ２１５は、操作部２１６の電源ボタンの操作によりカメラ本体２の電源がオフされるまでの間、図２３のステップＳ３以降の処理を繰り返し行う（図２３のステップＳ１７）。また、マイクロコンピュータ２１５は、操作部２１６の電源ボタンの操作によりカメラ本体２の電源がオフされたことを検出すると、図２３に示した一連の処理を完了する。
【０１６６】
なお、本実施例によれば、焦点検出用の画素毎に専用の遮光部材を配置したものに限らず、例えば、複数の焦点検出用の画素（例えば２×２画素）において１つの遮光部材を兼用できるような位置に遮光部材が配置及び移動されるようなものを用いてもよく、または、１つの焦点検出用の画素に複数の遮光部材を配置したものを用いてもよい。
【０１６７】
また、本実施例によれば、図１２の遮光部材２１２４の代わりに、遮光部材２１２４の光透過部２１２４ｂをカラーフィルタ２０２６に置きかえた、図３０の遮光部材２２２４を用いてもよい。（このような遮光部材２２２４を用いる場合、マイクロレンズ２０２５の光出射側のカラーフィルタ２０２６が不要となる。）
また、本実施例によれば、焦点検出用の画素の遮光部材を画素毎に個別の方向に移動させるような構成を有するものに限らず、例えば、焦点検出用の画素の遮光部材を複数画素分まとめて同じ方向に移動させることが可能な構成を有するものであってもよい。
【０１６８】
具体的には、焦点検出用の画素毎に遮光部材（２０２４、２１２４または２２２４）を設ける代わりに、例えば図３１に示すような、対をなす焦点検出用の画素の位置に合わせて配置された複数の光遮断部２３２４ａと、光透過部２３２４ｂと、を有して形成された矩形の板状部材である遮光部材２３２４を設ければよい。なお、遮光部材２３２４においては、図３１に示したような配置パターンにより光遮断部２３２４ａが配置されるものに限らず、他の配置パターンにより光遮断部２３２４ａが配置されてもよい。また、遮光部材２３２４に配置される光遮断部２３２４ａの数についても、図３１に示したものに限られるものではない。
【０１６９】
そして、前述のような構成を有する遮光部材２３２４を撮像素子の撮像面の垂直方向に沿って上下に移動させることにより、６画素分の光遮断部２３２４ａがまとめて同じ方向に移動し、図３２に示す第１の配置状態と、図３３に示す第２の配置状態と、が交互に入れ替わる。
【０１７０】
以上に述べたように、本実施例においては、焦点検出用の画素の遮光部材を露光時間に応じて移動させることにより、撮影用の画素から得られる情報と略同等の情報を焦点検出用の画素から得ることができる。そのため、本実施例によれば、位相差検出方式に用いられる焦点検出用の画素における情報の欠落を防ぐことができるとともに、欠落した情報を補間するための補間処理等を行わずともよくなるため、結果的に、位相差検出方式による焦点検出を行うための構成において生じる画質の劣化を極力抑制することができる。
【０１７１】
また、本実施例においては、焦点検出用の画素の遮光部材を移動させることができるように構成したため、例えば、被写体に応じて最も位相差を検出しやすい位置に遮光部材を移動させることにより、位相差検出方式による焦点検出の精度を向上させることができる。
【０１７２】
本発明は、上述した各実施例に限定されるものではなく、発明の趣旨を逸脱しない範囲内において種々の変更や応用が可能であることは勿論である。また、本発明の上述した各実施例は、例えば、カメラ本体と撮影レンズが一体となったカメラにも適用可能である。
【符号の説明】
【０１７３】
１  撮像装置
２  カメラ本体
３  交換式レンズ
２０２  撮像素子
２０７  画像処理部
２０８  ＡＥ処理部
２０９  ＡＦ処理部
２１５  マイクロコンピュータ
２１８  遮光制御部
【先行技術文献】
【特許文献】
【０１７４】
【特許文献１】特開２００１−８３４０７号公報
【特許文献２】特開２０１０−９１９４３号公報
【図１】
2012058532.tif 000003
【図２】
2012058532.tif 000004
【図３】
2012058532.tif 000005
【図４】
2012058532.tif 000006
【図５】
2012058532.tif 000007
【図６】
2012058532.tif 000008
【図７】
2012058532.tif 000009
【図８】
2012058532.tif 000010
【図９】
2012058532.tif 000011
【図１０】
2012058532.tif 000012
【図１１】
2012058532.tif 000013
【図１２】
2012058532.tif 000014
【図１３】
2012058532.tif 000015
【図１４】
2012058532.tif 000016
【図１５】
2012058532.tif 000017
【図１６】
2012058532.tif 000018
【図１７】
2012058532.tif 000019
【図１８】
2012058532.tif 000020
【図１９】
2012058532.tif 000021
【図２０】
2012058532.tif 000022
【図２１】
2012058532.tif 000023
【図２２】
2012058532.tif 000024
【図２３】
2012058532.tif 000025
【図２４】
2012058532.tif 000026
【図２５】
2012058532.tif 000027
【図２６】
2012058532.tif 000028
【図２７】
2012058532.tif 000029
【図２８】
2012058532.tif 000030
【図２９】
2012058532.tif 000031
【図３０】
2012058532.tif 000032
【図３１】
2012058532.tif 000033
【図３２】
2012058532.tif 000034
【図３３】
2012058532.tif 000035